(57)【要約】【課題】携帯電話に関わる種々のサービスをＳＩＭカード上に一体化して、キャリア主導で提供できるようにする。【解決手段】ＳＩＭ機能部を備えた記憶媒体は、携帯電話側からの電気信号アクセスと、制御装置側からの無線通信アクセスを競合制御する。携帯電話からクロック信号が入力されている間は無線通信アクセスを禁止する。また、無線通信アクセスの期間中、携帯電話からのＳＴＡＴＵＳコマンドに対して事前に記憶しておいた応答データを送信し、それ以外のコマンド・アクセスに対してＮＵＬＬシーケンス・バイトを定期的に送信し、コマンド制御シーケンスを続行させる。【選択図】  図１Ａ
2009181332.tif 000002
【特許請求の範囲】
【請求項１】
携帯電話に装着して用いられる記憶媒体であって、
前記携帯電話と接続する接触型接続手段と、
外部の制御装置と接続する無線通信手段と、
前記携帯電話の加入者情報を記憶する加入者情報記憶手段と、
前記接触型接続手段を介して前記携帯電話から前記加入者情報記憶手段へのアクセスと、前記無線通信手段を介して前記制御装置から前記加入者情報記憶手段へのアクセスとを制御する競合制御手段と、
を具備することを特徴とする記憶媒体。
【請求項２】
前記接触型接続手段は、リーダ・ライタとしての前記携帯電話に対してトランスポンダとして振る舞い、
前記携帯電話が前記接触型接続手段を通じて定期的にコマンドを発行し、前記加入者情報記憶手段が該コマンドに対し前記接触型接続手段を通じて自己のステータス情報を返すコマンド制御シーケンスが採用されており、
前記競合制御手段は、前記接触型接続手段を通じて行なわれる前記コマンド制御シーケンスと、前記無線通信手段を経由した前記制御装置からのアクセスとの競合を回避する、
ことを特徴とする請求項１に記載の記憶媒体。
【請求項３】
前記競合制御手段は、前記携帯電話から前記接触型接続手段にクロック信号が入力されている間、前記無線通信手段から前記加入者情報記憶手段へのアクセスを禁止し、当該アクセス禁止の間に前記制御装置からコマンドを受信した際に、ビジーである旨を示したレスポンスを前記無線通信手段経由で前記制御装置に通知する、
ことを特徴とする請求項１又は２のいずれかに記載の記憶媒体。
【請求項４】
前記接触型接続手段は、前記携帯電話とはＩＳＯ／ＩＥＣ７８１６−３に対応したデータ転送制御を行ない、
前記競合制御手段は、前記携帯電話からＩＳＯ／ＩＥＣ７８１６に規定されたクロック信号入力を検知して、前記無線通信手段から前記加入者情報記憶手段へのアクセスを禁止し、当該アクセス禁止の間に前記制御装置からコマンドを受信した際に、ビジーである旨を示したレスポンスを前記無線通信手段経由で前記制御装置に通知する、
ことを特徴とする請求項１又は２のいずれかに記載の記憶媒体。
【請求項５】
前記競合制御手段は、
前記加入者情報記憶手段の前記携帯電話に対する要求の有無に関するステータス情報を事前に記憶しておき、
前記無線通信手段経由で前記制御装置から前記加入者情報記憶手段へのアクセスが行なわれている際に、前記携帯電話からステータス情報の返信を要求するコマンドが発行されたことに応答して、前記の事前に記憶しておいたステータス情報を前記携帯電話に送出する、
ことを特徴とする請求項１又は２のいずれかに記載の記憶媒体。
【請求項６】
前記加入者情報記憶手段は、ＧＳＭ（１１．１１）及びＩＳＯ／ＩＥＣ７８１６で規定される通りのＳＩＭカードの機能を備え、
前記競合制御手段は、
前記携帯電話から前記ＳＩＭカードへアクセスが行なわれた際に、ＧＳＭ１１．１１に規定されたＳＴＡＴＵＳコマンドの応答データを事前に取得、保持し、
前記無線通信手段経由で前記制御装置から前記加入者情報記憶手段へのアクセスが行なわれている際に、前記携帯電話からＳＴＡＴＵＳコマンド・ヘッダを受信したことに応答して、前記の事前に保持しておいた応答データを前記携帯電話に送出する、
ことを特徴とする請求項１又は２のいずれかに記載の記憶媒体。
【請求項７】
前記競合制御手段は、
前記無線通信手段経由で前記制御装置から前記加入者情報記憶手段へのアクセスが行なわれている間に前記携帯電話からコマンド・アクセスが行なわれたときに、
該受信したコマンドの内容を保持し、
前記携帯電話に対してコマンド制御シーケンスの続行させるための処理シーケンスを実行し、
前記無線通信手段経由で前記制御装置に対して前記加入者情報記憶手段へのアクセスの即座終了を促し、
前記制御装置との無線通信アクセスが終了した後に前記の保持した受信コマンドの内容を前記加入者情報記憶手段に送出する、
ことを特徴とする請求項１又は２のいずれかに記載の記憶媒体。
【請求項８】
前記接触型接続手段は、前記携帯電話とはＩＳＯ／ＩＥＣ７８１６−３に対応したデータ転送制御を行ない、
前記競合制御手段は、前記無線通信手段経由で前記制御装置から前記加入者情報記憶手段へのアクセスが行なわれている間に、前記携帯電話からコマンド・ヘッダ（但し、ＳＴＡＴＵＳコマンドを除く）を受信したときに、該コマンドのヘッダ情報を保持するとともに、前記携帯電話に対してＩＳＯ／ＩＥＣ７８１６で規定されているＮＵＬＬシーケンス・バイトを定期的に送信するとともに、前記無線通信手段経由で前記制御装置に対して前記加入者情報記憶手段へのアクセス終了を要求して、前記制御装置との無線通信アクセスが終了した後に前記の保持したヘッダ情報によって前記加入者情報記憶手段へのアクセスを行ない、以後は前記携帯電話との間で前記加入者情報記憶手段へのアクセスを行なう、
ことを特徴とする請求項１又は２のいずれかに記載の記憶媒体。
【請求項９】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記接触型接続手段は、リーダ・ライタとしての前記携帯電話に対してトランスポンダとして振る舞い、
前記携帯電話が前記接触型接続手段を通じて定期的にコマンドを発行し、前記加入者情報記憶手段が該コマンドに対し前記接触型接続手段を通じて自己のステータス情報を返すコマンド制御シーケンスが採用されており、
前記接触型接続手段を通じて行なわれる前記コマンド制御シーケンスと、前記無線通信手段を経由した前記制御装置からのアクセスとの競合を回避する、
ことを特徴とする競合制御方法。
【請求項１０】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記携帯電話から前記接触型接続手段にクロック信号が入力されている間、前記無線通信手段から前記加入者情報記憶手段へのアクセスを禁止するステップと、
当該アクセス禁止の間に前記制御装置からコマンドを受信した際に、ビジーである旨を示したレスポンスを前記無線通信手段経由で前記制御装置に通知するステップと、
を具備することを特徴とする競合制御方法。
【請求項１１】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記接触型接続手段は、前記携帯電話とはＩＳＯ／ＩＥＣ７８１６−３に対応したデータ転送制御を行ない、
前記携帯電話からＩＳＯ／ＩＥＣ７８１６に規定されたクロック信号入力を検知して、前記無線通信手段から前記加入者情報記憶手段へのアクセスを禁止するステップと、
当該アクセス禁止の間に前記制御装置からコマンドを受信した際に、ビジーである旨を示したレスポンスを前記無線通信手段経由で前記制御装置に通知するステップと、
を具備することを特徴とする競合制御方法。
【請求項１２】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記加入者情報記憶手段の前記携帯電話に対する要求の有無に関するステータス情報を事前に記憶するステップと、
前記無線通信手段経由で前記制御装置から前記加入者情報記憶手段へのアクセスが行なわれている際に、前記携帯電話からステータス情報の返信を要求するコマンドが発行されたことに応答して、前記の事前に記憶しておいたステータス情報を前記携帯電話に送出するステップと、
を具備することを特徴とする競合制御方法。
【請求項１３】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記加入者情報記憶手段は、ＧＳＭ（１１．１１）及びＩＳＯ／ＩＥＣ７８１６で規定される通りのＳＩＭカードの機能を備え、
前記携帯電話から前記ＳＩＭカードへアクセスが行なわれた際に、ＧＳＭ１１．１１に規定されたＳＴＡＴＵＳコマンドの応答データを事前に取得、保持するステップと、
前記無線通信手段経由で前記制御装置から前記加入者情報記憶手段へのアクセスが行なわれている際に、前記携帯電話からＳＴＡＴＵＳコマンド・ヘッダを受信したことに応答して、前記の事前に保持しておいた応答データを前記携帯電話に送出するステップと、
を具備することを特徴とする競合制御方法。
【請求項１４】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記無線通信手段経由で前記制御装置から前記加入者情報記憶手段へのアクセスが行なわれている間に前記携帯電話からコマンド・アクセスが行なわれたときに、
該受信したコマンドの内容を保持するステップと、
前記携帯電話に対してコマンド制御シーケンスの続行させるための処理シーケンスを実行するステップと、
前記無線通信手段経由で前記制御装置に対して前記加入者情報記憶手段へのアクセスの即座終了を促すステップと、
前記制御装置との無線通信アクセスが終了した後に前記の保持した受信コマンドの内容を前記加入者情報記憶手段に送出するステップと、
を具備することを特徴とする競合制御方法。
【請求項１５】
携帯電話の加入者情報を記憶する加入者情報記憶手段に対する、前記携帯電話からの接触型接続手段を介したアクセスと、制御装置からの無線通信手段を介したアクセスを制御する競合制御方法であって、
前記接触型接続手段は、前記携帯電話とはＩＳＯ／ＩＥＣ７８１６−３に対応したデータ転送制御を行ない、
前記無線通信手段経由で前記制御装置から前記加入者情報記憶手段へのアクセスが行なわれている間に前記携帯電話からコマンド・ヘッダ（但し、ＳＴＡＴＵＳコマンドを除く）を受信したときに、
該コマンドのヘッダ情報を保持するステップと、
前記携帯電話に対してＩＳＯ／ＩＥＣ７８１６で規定されているＮＵＬＬシーケンス・バイトを定期的に送信するステップと、
前記無線通信手段経由で前記制御装置に対して前記加入者情報記憶手段へのアクセス終了を要求するステップと、
前記制御装置との無線通信アクセスが終了した後に前記の保持したヘッダ情報によって前記加入者情報記憶手段へのアクセスを行ない、以後は前記携帯電話との間で前記加入者情報記憶手段へのアクセスを行なうステップと、
を具備することを特徴とする競合制御方法。
【発明の詳細な説明】
【技術分野】
【０００１】
本発明は、携帯電話の加入者情報を記憶するとともに携帯電話との接触型の接続インターフェースを備え、携帯電話側から加入者情報の制御が行なわれる記憶媒体に係り、特に、ＧＳＭ（１１．１１）及びＩＳＯ／ＩＥＣ７８１６で規定されるＳＩＭカード機能を備えた記憶媒体に関する。
【０００２】
さらに詳しくは、本発明は、ＧＳＭ（１１．１１）及びＩＳＯ／ＩＥＣ７８１６で規定される通りのＳＩＭカードのサイズ及び端子形状を備えるとともに、メモリカード、電子マネーやクレジット・カードといった複数の機能を携帯電話上で提供する記憶媒体に係り、特に、携帯電話との接触型の接続インターフェースの他に非接触インターフェースを備え、メモリカード、電子マネーやクレジット・カードといったサービス提供に関する記憶内容が非接触インターフェースを介して外部の制御装置によって制御され記憶媒体に関する。
【背景技術】
【０００３】
近年、情報機器や情報通信における技術の進歩と普及を背景として、通信事業者の再編成や価格改定、通信サービスの多様化が進んでいる。日進月歩する通信業界の中でも、とりわけ携帯電話を始めとする移動体通信技術の成長は顕著である。
【０００４】
携帯電話機は一般に、携帯電話網のキャリア（通信会社）に対する加入者情報を格納する、ＳＩＭ（Ｓｕｂｓｃｒｉｂｅｒ  Ｉｄｅｎｔｉｔｙ  Ｍｏｄｕｌｅ）と呼ばれる接触型ＩＣカードを搭載している。また、最近の携帯電話機の多くは、電子マネーなどのアプリケーションを担持する非接触型ＩＣカード機能を搭載している。さらに、カメラで撮影した画像や、再生用の音楽データを記録するためのメモリカードを装着するスロットを備えたものも多い。以下、携帯電話機に搭載される各カード機能に関して、背景技術を説明する。
【０００５】
ＳＩＭカード、ＩＣカード
ＳＩＭカードは、ＩＳＯ／ＩＥＣ７８１６規格の接触型ＩＣカードであり、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）やＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）などの方式の携帯電話で使用される。ＳＩＭカードには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号が付与されており、これと電話番号を結び付けることで携帯電話は通信が可能となる。
【０００６】
ＳＩＭカード１は、携帯電話機に内蔵するため、一般的な非接触ＩＣカード１´のサイズ（８６ｍｍ×５４ｍｍ）に対して（図１８Ｂを参照のこと）、小型のサイズ（幅１５ｍｍ×奥行き２５ｍｍ×厚み０．７６ｍｍ）と、特定の形状が定められている（図１８Ａを参照のこと）。接触型のＩＣカードにおいて、機器との間の情報のやり取りは、特定の形状のＳＩＭ端子部３００を介して行なわれる。
【０００７】
図１９には、携帯電話２にＳＩＭカード１を適用した様子を示している。抜き差しの前に確実にＳＩＭカードの電源を切る必要があることから、多くの電話機では、電池を取り外して電源をオフにしないとＳＩＭカードの抜き差しができない構造になっている。図示の例では、ＳＩＭカード１は、携帯電話２の背面において、電池２１の裏側に搭載されている。
【０００８】
ＳＩＭカードを携帯電話に抜き差しすることで、電話番号を他の携帯電話機に移したり、１つの携帯電話機で複数の電話番号を切替えて使用したりすることができるが、基本的にはＳＩＭカードは頻繁に抜き差しすることを想定したものではない。実用化されているＳＩＭカードの最大容量は１２８ＭＢ程度で、契約者の個人情報や数十件の電話帳を保存できるくらいである。但し、１ＧＢへと大容量化する動きもあり、コンテンツ情報などの保存も可能となる。
【０００９】
メモリカード
メモリカードは、大容量のフラッシュ・メモリを記録媒体として持つカード型の記憶装置であり、例えば、メモリースティック、ＳＤ（Ｓｅｃｕｒｅ  Ｄｉｇｉｔａｌ）カード、ＭＭＣ（マルチメディアカード）、コンパクトフラッシュ（登録商標）、ＵＳＢ（Ｕｎｉｖｅｒｓａｌ  Ｓｅｒｉａｌ  Ｂｕｓ）メモリなど、多種にわたる標準規格がある。また著作権に絡む音楽、映像などのメディア・コンテンツを記録することを考慮し、著作権管理技術を実装しているメモリカードも存在する。
【００１０】
ＳＩＭ機能と大容量のメモリ機能を搭載するメモリカード
不揮発性メモリカード及びＳＩＭカードの両方を利用する種々の用途では、ＳＩＭ集積回路チップがメモリカードの中に組み込まれると便利である。例えば、ＭＭＣカード規格又はＳＤカード規格のいずれかにより指定される同じ形状及びピン位置を有するように物理的に変更された、ＩＳＯ／ＩＥＣ７８１６規格に従うカードや、ＩＳＯ／ＩＥＣ７８１６規格に従うカードの回路構成を包含するように修正された、ＭＭＣカード規格又はＳＤカード規格のいずれかに従うカードについて提案がなされている（例えば、特許文献１を参照のこと）。
【００１１】
また、ＳＩＭ機能がＭＭＣ又はＳＤカード標準規格に従う不揮発性フラッシュ・メモリ及びそのコントローラと組み合わされた複合的なメモリカードについても提案がなされている（例えば、特許文献２を参照のこと）。この複合カードの物理的フォーマットは、プラグインＳＩＭカード、ＭＭＣあるいはＳＤカードのうちのいずれかである。１つの代表的な形では、プラグインＳＩＭカード・フォーマットが使用され、ＭＭＣ標準規格又はＳＤ標準規格のいずれかに従うメモリの動作に必要とされ得るように数個の外部電気接点がプラグインＳＩＭ標準規格のそれに追加される。
【００１２】
また、ＳＩＭカードの機能と、大容量の不揮発性メモリ機能とを同時に搭載するＳＩＭカード形状のメモリカードも出現している（例えば、非特許文献１を参照のこと）。このメモリカードは、ＳＩＭカードの電気接点と、不揮発性メモリにアクセスするための電気接点（例えばＭＭＣ、ＵＳＢ）とを独立して持ち、また、携帯電話において使用する加入者情報と、各種メディア・コンテンツとを１つのメモリカードに管理する。不揮発性メモリ機能に格納するデータに対しては著作権管理のための機能が提供されている。携帯電話のユーザは端末交換時にカードを取り替えることで、加入者情報を移行するだけでなく、同時にメディア・コンテンツを移行することができる。また、キャリアは、自身のコンテンツ・サービスによってユーザに提供するメディア・コンテンツを、加入者情報とともに同一のカードにおいて安全に管理することができる。また、携帯電話側では、メモリカードのスロットが不要になる。
【００１３】
非接触型ＩＣカード技術
非接触型ＩＣカードは、接触型ＩＣカードが外部機器と接続するＩＣカード・インターフェースを無線に置き換えたもので、リーダ・ライタからの送信キャリアによる電磁誘導作用を利用してＩＣカードに電力を供給し、キャリアの変調によりリーダ・ライタとカード間で通信を行なうようになっている。非接触ＩＣカード技術は、「Ｅｄｙ」などの電子マネー、「Ｓｕｉｃａ」などの乗車券、あるいは社員証などに利用されている。
【００１４】
非接触ＩＣカード技術方式の１つとして「ＦｅｌｉＣａ（登録商標）」が広く知られている。ＦｅｌｉＣａでは、１３．５６ＭＨｚの周波数帯を用いた電磁誘導方式が使用され、ＡＳＫ１０％で変調を行なうとともにマンチェスタ（Ｍａｎｃｈｅｓｔｅｒ）符号を採用し、通信速度は最高２１２ｋｂｐｓである。
【００１５】
ここで、電磁誘導方式の非接触ＩＣカードの通信距離はアンテナ依存であり、例えばＩＣカードのサイズ（８６ｍｍ×５４ｍｍ）の外周に沿った大きさのコイル状のアンテナが搭載される場合の通信距離は数ｃｍから１０ｃｍ程度となる。
【００１６】
日本国内では、携帯電話にも非接触ＩＣカード技術が搭載されている。例えば、フェリカネットワークス株式会社が開発したモバイルＦｅｌｉｃａ  ＩＣチップを搭載することで、上述したＥｄｙやＳｕｉｃａ（モバイルＳｕｉｃａ）を携帯電話でも利用することができ、非接触伝送経由の入出金が行なわれる他、携帯網経由の入金（チャージ）が可能になる。この場合にも、通信距離はアンテナ依存であり、携帯電話の外周に沿った大きさのコイル状アンテナが搭載される。
【００１７】
これまで説明してきたように、携帯電話に対して、ＳＩＭカード、メモリカード、非接触型ＩＣカードの機能が個別の媒体として適用されており、キャリアのサービスに利用される。ＳＩＭカードによって、通話や「ｉ−ｍｏｄｅ（登録商標）」のような情報提供サービスが提供されるのみならず、メモリカードを媒体としてメディア・コンテンツを扱うサービス（例えば音楽ダウンロードなど）を提供することができる。さらには、非接触型ＩＣカード技術を使用して電子マネー、乗車券のサービスを利用することができる。
【００１８】
このようなカード機能を搭載した携帯電話の利用形態は、とりわけ日本国内において当てはまる。これは、日本国内ではキャリア主導で携帯電話に関わる種々のサービスを一体化して提供され、各メーカーが開発製造する携帯電話端末の仕様も基本的にはキャリア主導により策定されるという、キャリア側の自由度の高いビジネス・モデルに依拠する。
【００１９】
他方、欧米や中国など、日本以外の主要な携帯電話市場となる各国では、キャリアは加入者情報を格納したＳＩＭカードをユーザに供給するだけというビジネス・モデルが一般的であり、携帯電話端末の開発は各メーカーが独自に行なう。このため、日本に比べると、世界各国ではキャリアによるサービス提供の自由度が乏しいのが実情である。上述したような電子マネーのサービスを携帯電話で利用することを画策しても、メーカー側の賛同も得て非接触通信の機能を端末に搭載しなければ、サービスは目論み通りには実現しない。
【００２０】
本発明者らは、日本以外の各国においてもキャリアが携帯電話で実現するサービス提供の自由度を確保する１つの方法とて、キャリアがユーザに供給するＳＩＭカード内にさまざまな機能を搭載することが好適である、と思料する。
【００２１】
【特許文献１】特表２００４−５０６２６６号公報
【特許文献２】特表２００６−５２３８８９号公報
【非特許文献１】ｈｔｔｐ：／／ｗｗｗ．ｓｐａｎｓｉｏｎ．ｃｏｍ／ｊｐ／ｆｌａｓｈ＿ｍｅｍｏｒｙ＿ｐｒｏｄｕｃｔｓ／ｍｉｒｒｏｒｂｉｔ＿ｈｄ＿ｓｉｍ．ｈｔｍｌ（平成２０年１月２２日現在）
【発明の開示】
【発明が解決しようとする課題】
【００２２】
本発明の目的は、ＧＳＭ（１１．１１）及びＩＳＯ／ＩＥＣ７８１６で規定される通りのＳＩＭカードのサイズ及び端子形状を備えるとともに、メモリカード、電子マネーやクレジット・カードといった複数の機能を携帯電話上で提供することができる、優れた記憶媒体を提供することにある。
【００２３】
本発明のさらなる目的は、携帯電話との接触型の接続インターフェースの他に非接触インターフェースを備え、メモリカード、電子マネーやクレジット・カードといったサービス提供に関する記憶内容が非接触インターフェースを介して外部の制御装置によって好適に制御される、優れた記憶媒体を提供することにある。
【００２４】
本発明のさらなる目的は、ＧＳＭ（１１．１１）及びＩＳＯ／ＩＥＣ７８１６で規定される通りのＳＩＭカード内にアンテナを含む非接触インターフェースに関するすべての回路コンポーネントを収容するとともに、携帯電話に装着した状態でも携帯電話端末側の部品による妨害を受けることなく非接触インターフェースの十分な通信性能を確保することができる、優れた記憶媒体を提供することにある。
【課題を解決するための手段】
【００２５】
本発明は、上記課題を参酌してなされたものであり、携帯電話に装着して用いられる記憶媒体であって、
前記携帯電話と接続する接触型接続手段と、
外部の制御装置と接続する無線通信手段と、
前記携帯電話の加入者情報を記憶する加入者情報記憶手段と、
前記接触型接続手段を介して前記携帯電話から前記加入者情報記憶手段へのアクセスと、前記無線通信手段を介して前記制御装置から前記加入者情報記憶手段へのアクセスとを制御する競合制御手段と、
を具備することを特徴とする記憶媒体である。
【００２６】
現在、携帯電話に対して、ＳＩＭカード、メモリカード、非接触型ＩＣカードの機能が個別の媒体として適用され、キャリアのサービスに利用されている。しかしながら、これはキャリア主導により携帯電話に関わる種々のサービスを一体化して提供するという日本国内のビジネス・モデルに依存するものであり、キャリアは加入者情報を格納したＳＩＭカードをユーザに供給するだけで、キャリアによるサービス提供の自由度が制限されるその他の多くの国々に浸透し難いのが実情である。
【００２７】
本発明者らは、日本以外の各国においてもキャリアが携帯電話で実現するサービス提供の自由度を確保する１つの方法とて、キャリアがユーザに供給するＳＩＭカード内にさまざまな機能を搭載することが好適である、と思料する。例えば、ＳＩＭカード上に非接触ＩＣカード機能を搭載していれば、端末交換時には、ユーザの手でＳＩＭカードとともに電子マネー情報を移行することができて便利ということになる。
【００２８】
本発明に係る記憶媒体は、携帯電話に装着して用いることができるが、前記携帯電話と接続する接触型接続手段と、外部の制御装置と接続する無線通信手段と、前記携帯電話の加入者情報を記憶する加入者情報記憶手段を備え、前記加入者情報記憶手段は、前記接触型接続手段を介して前記携帯電話から制御可能であるとともに、前記無線通信手段を介して前記制御装置から制御可能となっている。
【００２９】
本発明に係る記憶媒体は、例えば、ＧＳＭ（１１．１１）及びＩＳＯ／ＩＥＣ７８１６で規定される通りのＳＩＭカードのサイズと端子形状を備えている。ＳＩＭカードとして構成される記憶媒体には、キャリアが加入者情報を取り扱うＳＩＭ機能とともに、電子マネーなどを取り扱うクレジット機能を搭載するようにしてもよい。この場合、制御装置からは無線通信を介してクレジット機能を制御することができる。あるいは、ＳＩＭカードに大容量のメモリカード機能を付加すると、制御装置からは無線通信を介してメモリカードの制御インターフェースにアクセスすることができる。
【００３０】
本発明によれば、携帯電話に非接触のクレジット機能を容易に搭載することができる。従来のＳＩＭカードの形状や端子はそのままでよいことから、従来の携帯電話端末を改造する必要なく、本発明を円滑に適用することが可能である。また、携帯電話の端末交換時において、ＳＩＭカードを移し変えるだけで情報の移行を簡易に行なうことができる。
【００３１】
接触型接続手段は、ＳＩＭインターフェースとして、例えばＩＳＯ／ＩＥＣ７８１６−３に対応したデータ転送制御を行なう。一方、無線通信手段は、制御装置との間で、例えばＩＳＯ／ＩＥＣ７８１６−４に規定されたコマンド／レスポンスＡＰＤＵを伝送する。
【００３２】
接触型接続手段は、リーダ・ライタ機能を持つ携帯電話に対してトランスポンダとして動作する。すなわち、ＳＩＭ機能を持つ記憶媒体側からは自発的にコマンドを発行することができないこと。そこで、ＳＩＭ自身が有するアプリケーションを実行させる機能を実現するために、携帯電話から定期的にコマンドを発行し、ＳＩＭはこのコマンド・シーケンスの終了時のステータス・バイトで要求の有無を表示し、携帯電話がＳＩＭからの要求を確認する、というコマンド制御シーケンスが採用されている。
【００３３】
ところが、このような状況下では、制御装置から無線通信手段を経由して加入者情報記憶手段に対するアクセスが行なわれたときに、接触型接続手段を経由した携帯電話が定期的に発行するコマンドとの競合が発生してしまう危険がある。その結果、携帯電話と記憶媒体との間で、コマンド、レスポンスの不整合が生じ、異常が発生したものと見なされる。これにより携帯電話側で異常を知らせる画面が表示されるなど、ユーザが携帯電話を正しく操作することができないという事態を招来してしまうことになる。
【００３４】
そこで、本発明に係る記憶媒体では、無線通信手段を経由した加入者情報記憶手段へのアクセスと、接触型接続手段を経由した加入者情報記憶手段へのアクセスとの競合を、競合制御手段が回避するように構成されている。
【００３５】
この競合制御手段は、以下に示す第１乃至第３の制御方式のいずれかを用いることによって、加入者情報記憶手段へのアクセス競合を回避することができる。
【００３６】
第１の制御方式は、携帯電話からクロック信号が入力されている間、無線通信によるアクセスを禁止する方法である。アクセス禁止の間に制御装置からコマンドを受信した際に、競合制御手段は、ビジーである旨を示したレスポンスを、無線通信手段を通じて制御装置に通知する。これによって、携帯電話からアクセス中の無線通信アクセスを防ぐことが可能になる。
【００３７】
また、第２の制御方式は、無線通信により加入者情報記憶手段へのアクセスが行なわれている際に、携帯電話から加入者情報記憶手段のステータス情報を要求する旨のコマンドが発行されたときに対応した方式である。競合制御手段は、このようなコマンドを受け取ったとき、加入者情報記憶手段にアクセスすることなく、事前に記憶しておいたコマンドの応答データを携帯電話側に送出する。これによって、携帯電話側で操作が発生しない状況下でかかるコマンドが発行されたときに、無線通信側のアクセスを中断せずに済むという効果がある。
【００３８】
また、第３の制御方式は、無線通信により外部の制御装置から加入者情報記憶手段へのアクセスが行なわれている間に、携帯電話からＳＴＡＴＵＳコマンドでないコマンド・アクセスが行なわれた場合に適用される方式である。競合制御手段は、無線通信手段経由で制御装置から加入者情報記憶手段へのアクセスが行なわれている間に、携帯電話からコマンド・アクセスが行なわれた場合に、まず、受信したコマンドの内容を保持するとともに、携帯電話に対してＮＵＬＬシーケンス・バイトを定期的に送信するなどコマンド制御シーケンスの続行させるための処理シーケンスを実行する。次いで、無線通信手段経由で制御装置に対して前記加入者情報記憶手段へのアクセスの即座終了を促す。そして、制御装置との無線通信アクセスが終了した後には、前記の保持した受信コマンドの内容を加入者情報記憶手段に送出する。以降は、コマンド制御シーケンスを携帯電話側と中継する。この制御方式によれば、制御装置との無線通信アクセス中に、携帯電話側からＳＴＡＴＵＳコマンド以外のコマンドを受信した場合には、制御装置に対して無線通信アクセスを終了させることができるとともに、携帯電話からのコマンド・シーケンスを続行することができる。この結果、所定のコマンドに対して正しく応答が得られないことに対する携帯電話側の異常を防ぐことができるという効果がある。
【００３９】
なお、記憶媒体を制御装置と接続する無線通信手段には、反射波伝送方式を採用することができる。反射波伝送によれば低消費電力且つ高速の操作を行なうことができる。この場合、無線通信手段は変調処理を施した反射波によりデータを送信する反射器を備えるとともに、制御装置は無変調キャリアを送信して前記反射器からの変調反射波からデータを読み取る反射波読取装置を備えている。反射波伝送に２．４ＧＨｚの周波数帯を利用する場合、１３．５６ＭＨｚ帯を使用するＦｅｌｉＣａに対してアンテナ・サイズを小さくすることができ、ＳＩＭカードと無線通信機能とを一体化することが容易になる。
【００４０】
反射波伝送用のアンテナをＳＩＭカードなどの記憶媒体に内蔵する場合、携帯電話のスロットに装着したときに、端末の種類に応じてＳＩＭカードの向き（表裏）が異なる可能性を考慮して、内蔵アンテナをＳＩＭカードの表面、裏面双方に配置すると良い。
【発明の効果】
【００４１】
本発明によれば、ＧＳＭ（１１．１１）及びＩＳＯ／ＩＥＣ７８１６で規定される通りのＳＩＭカードのサイズ及び端子形状を備えるとともに、メモリカード、電子マネーやクレジット・カードといった複数の機能を携帯電話上で提供することができる、優れた記憶媒体を提供することができる。
【００４２】
また、本発明によれば、携帯電話との接触型の接続インターフェースの他に非接触インターフェースを備え、メモリカード、電子マネーやクレジット・カードといったサービス提供に関する記憶内容が非接触インターフェースを介して外部の制御装置によって好適に制御される、優れた記憶媒体を提供することができる。
【００４３】
本発明に係る記憶媒体は、加入者情報記憶手段に対して、接触型接続手段を介した携帯電話からの電気信号アクセスと、無線通信手段を介した外部の制御装置からの無線通信アクセスの双方を行なうことができるが、携帯電話からのクロック信号が入力されているとき、制御装置と無線通信アクセスが行なわれている間に携帯電話からＳＴＳＴＵＳコマンドやその他のコマンド・アクセスが行なわれたときなど、それぞれの状況に応じて競合制御手段はこれらのアクセスの競合を好適に回避することができ、これに伴って、コマンド・アクセスを行なった携帯電話側の異常を防ぐこともできる。
【００４４】
本発明のさらに他の目的、特徴や利点は、後述する本発明の実施形態や添付する図面に基づくより詳細な説明によって明らかになるであろう。
【発明を実施するための最良の形態】
【００４５】
以下、図面を参照しながら本発明の実施形態について詳解する。
【００４６】
現在、携帯電話に対して、ＳＩＭカード、メモリカード、非接触型ＩＣカードの機能が個別の媒体として適用され、キャリアのサービスに利用されている。しかしながら、これはキャリア主導により携帯電話に関わる種々のサービスを一体化して提供するという日本国内のビジネス・モデルに依存するものであり、キャリアは加入者情報を格納したＳＩＭカードをユーザに供給するだけで、キャリアによるサービス提供の自由度が制限されるその他の多くの国々に浸透し難いのが実情である。
【００４７】
本発明者らは、日本以外の各国においてもキャリアが携帯電話で実現するサービス提供の自由度を確保する１つの方法とて、キャリアがユーザに供給するＳＩＭカード内にさまざまな機能を搭載することが好適である、と思料する。例えば、ＳＩＭカード上に非接触ＩＣカード機能を搭載していれば、端末交換時には、ユーザの手でＳＩＭカードとともに電子マネー情報を移行することができて便利ということになる。
【００４８】
本出願人に既に譲渡されている特願２００７−４８２８９号明細書には、非接触ＩＣカード技術とＳＩＭカードに搭載した記憶媒体について提案がなされている。この種の記憶媒体を用いることで、ＧＳＭ（１１．１１）及びＩＳＯ／ＩＥＣ７８１６で規定される通りのＳＩＭカードのサイズ及び端子形状を備えるとともに、メモリカード、電子マネーやクレジット・カードといった複数の機能を携帯電話上で提供することができる。また、従来のＳＩＭカードの形状や端子はそのままでよいことから、従来の携帯電話端末を改造する必要なく、本発明を円滑に適用することが可能である。また、携帯電話の端末交換時において、ＳＩＭカードを移し変えるだけで情報の移行を簡易に行なうことができる。
【００４９】
図１Ａには、本発明の一実施形態に係る記憶媒体の構成を模式的に示している。図示の記憶媒体１は、ＳＩＭ端子部３００、ＳＩＭインターフェース・コントローラ３０１、ＣＰＵ（Ｃｅｎｔｒａｌ  Ｐｒｏｃｅｓｓｉｎｇ  Ｕｎｉｔ）３０２、システム・バス３０３、ＲＯＭ（Ｒｅａｄ  Ｏｎｌｙ  Ｍｅｍｏｒｙ）３０４、ＲＡＭ（Ｒａｎｄｏｍ  Ａｃｃｅｓｓ  Ｍｅｍｏｒｙ）３０５、暗号ブロック３０６、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）３０７によってＳＩＭ（Ｓｕｂｓｃｒｉｂｅｒ  Ｉｄｅｎｔｉｔｙ  Ｍｏｄｕｌｅ）機能部１３を構成するとともに、アンテナ１２と、非接触無線部１１と、及び競合制御部１０を、ＳＩＭカードの形状に搭載したものである。かかる構成により、当該記憶媒体１は、携帯電話２にとってはＳＩＭインターフェース４を介して一般的なＳＩＭカードとして機能するとともに、制御装置３からは無線インターフェース５を介してＳＩＭの機能を利用することを可能である。
【００５０】
また、図１Ｂには、ＳＩＭ端子部３００の構造を図解している。ＳＩＭ端子部３００は、ＩＣカード・インターフェース４に適用される電気信号端子であり、ＩＳＯ／ＩＥＣ７８１６−１、２の規格では、電源（ＶＣＣ）、リセット（Ｒｅｓｅｔ）、クロック（Ｃｌｏｃｋ）、プログラム電源（ＶＰＰ）、データ伝送用入出力（Ｉ／Ｏ）、グランド（ＧＮＤ）、及びリザーブ（ＲＦＵ：Ｒｅｓｅｒｖｅｄ  ｆｏｒ  Ｆｕｔｕｒｅ  Ｕｓｅ）の各端子が同図のように配置されている。
【００５１】
図１において、ＳＩＭインターフェース４は、ＩＳＯ／ＩＥＣ７８１６の規定に基づく。記憶媒体１は、携帯電話からクロック信号（Ｃｌｏｃｋ）、リセット信号（Ｒｅｓｅｔ）を入力し、あらかじめ決められたクロック数に同期した入出力信号（Ｉ／Ｏ）を半二重シリアル通信することで、バイト・データ（キャラクタ）を携帯電話２との間で送受信する。一連のバイト・データによりコマンド・データを構成し、Ｔ０プロトコルと呼ばれる転送方式によって、携帯電話から当該記憶媒体に対してデータの送受信を行なう。
【００５２】
また、非接触無線部１１と制御装置３間の無線インターフェース５として、反射波伝送方式を適用することができる。この場合、非接触無線部１１は変調処理を施した反射波によりデータを送信する反射器を備えるとともに制御装置３は無変調キャリアを送信して反射器からの変調反射波からデータを読み取る反射波読取装置を備えている。反射波伝送に２．４ＧＨｚの周波数帯を利用する場合、１３．５６ＭＨｚ帯を使用するＦｅｌｉＣａに対してアンテナ・サイズを小さくすることができ、ＳＩＭカードと無線通信機能とを一体化することが容易になる。反射波伝送用のアンテナ１２をＳＩＭカードなどの記憶媒体１に内蔵する場合、携帯電話のスロットに装着したときに、端末の種類に応じてＳＩＭカードの向き（表裏）が異なる可能性を考慮して、内蔵するアンテナ１２をＳＩＭカードの表面、裏面双方に配置すると良い。
【００５３】
なお、反射波伝送システムの詳細について、本出願人に既に譲渡されている特開２００５−６４８２２号公報、特開２００５−３２３２２３号公報などを参照されたい。
【００５４】
図２には、ＳＩＭインターフェース４での通信に利用されるＴ０プロトコルにおけるコマンド・データのフォーマットを示している。
【００５５】
ヘッダ４０は、各１バイトのＣＬＡ、ＩＮＳ、Ｐ１、Ｐ２、Ｐ３のパラメータによって構成され、携帯電話２から発行される。ＣＬＡは、カードの機能が有するクラス情報を与える固定値のパラメータである。ＧＳＭに適用されるＳＩＭの場合、０ｘＡ０の値が与えられる。また、ＩＮＳは、同クラスにおけるコマンドの命令内容を与えるパラメータである。また、Ｐ１並びにＰ２は命令内容に付随するパラメータであり、Ｐ３は後続のデータ４２のデータ長を与える。
【００５６】
シーケンス・バイト４１は、ヘッダ４０に対する記憶媒体１からの応答データであり、正常応答時はＩＮＳと同一の値が応答される。また、記憶媒体１におけるコマンド処理を待つように指示するＮＵＬＬバイト（値＝０ｘ６０）と呼ばれるシーケンス・バイト（ＮＵＬＬシーケンス・バイト）が規定されている。
【００５７】
データ４２は、コマンドに付随するデータであり、携帯電話２から出力される場合をＯＵＴデータ４３とし、記憶媒体１から出力される場合をＩＮデータ４４として区別する。送受信の方向は命令内容によって決められる。
【００５８】
データ４２の次には、記憶媒体からステータス・バイト４５が送出される。ステータス・バイト４５は各１バイトのＳＷ１、ＳＷ２によって構成され、２バイトによりコマンドの終了ステータスを通知する。ＳＷ１の内容に応じて、ＳＷ２により所定のコマンド（ＧＥＴ＿ＲＥＳＰＯＮＳＥコマンド、ＦＥＴＣＨコマンドなど）を発行することで受信可能なデータ長を通知する。
【００５９】
図３には、ＳＩＭインターフェース４での通信に利用される、Ｔ０プロトコルによるコマンド制御シーケンスを示している。図示のコマンド制御シーケンス３０は、データ４２の方向に応じて、ＯＵＴコマンド制御シーケンス３１と、ＩＮコマンド制御シーケンス３２に分けられる。ＯＵＴコマンド制御シーケンス３１は、シーケンス・バイト４１の後に携帯電話２からＯＵＴデータ４３を送出するシーケンスであり、ＯＵＴデータ４３を受け取った記憶媒体１からはステータス・バイト４５が返される。また、ＩＮコマンド制御シーケンス３２は、記憶媒体１からＩＮデータ４４を送出するシーケンスであり、ＩＮデータ４４を受け取った携帯電話２からはステータス・バイト４５が返される。
【００６０】
一方、ＧＳＭに適用されるＳＩＭの機能として、ＧＳＭ１１．１４に規定されるＳＩＭ  Ｔｏｏｌ  Ｋｉｔ（ＳＴＫ）と呼ばれる機能がある。当該機能は、ＳＩＭが携帯電話に対し、自身が有するアプリケーションを実行させる機能である。ＩＳＯ／ＩＥＣ７８１６の規定に基づくＴ０プロトコルでは、携帯電話２がリーダ・ライタとなるとともに、記憶媒体１がトランスポンダとして振る舞うので、記憶媒体（ＳＩＭ）１からは自発的にコマンドを発行することはできない。そこで、記憶媒体１は、所定のコマンド・シーケンスの終了時のステータス・バイト４５によって要求の有無を表示する。要求がある場合には、ステータス・バイト４５内でＳＷ１＝０ｘ９１となる。携帯電話２は、記憶媒体１からの要求を確認するために、操作とは関係なく定期的にコマンドを発行する。特にＳＴＡＴＵＳコマンドが利用される。
【００６１】
図４には、ＳＴＡＴＵＳコマンドに関連するコマンド制御シーケンスの一例を示している。
【００６２】
ＳＴＡＴＵＳコマンド制御シーケンス４００３が実行される前には、必ずＳＥＬＥＣＴコマンド制御シーケンス４００１と、ＧＥＴ  ＲＥＳＰＯＮＳＥコマンド制御シーケンス４００２が続けて実行される。
【００６３】
ＳＥＬＥＣＴコマンドは、ＳＩＭ機能部１３が管理するファイル・データを携帯電話２が選択指定するコマンドである。２バイトのファイルＩＤがＯＵＴデータ４３１に与えられ、記憶媒体１に送出される。
【００６４】
記憶媒体１は、携帯電話２からＳＥＬＥＣＴコマンドを受信すると、当該コマンド内で指定されているファイルＩＤに対応したファイルの属性データを内部に読み出す処理を行なう。そして、ステータス・バイト４５１として、ＳＷ１＝０ｘ９Ｆを送信する。この値は、後続のＧＥＴ  ＲＥＳＰＯＮＳＥコマンド・ヘッダ４０２によりファイル属性データが携帯電話２から読み出し可能であることと、次のＳＷ２の値がそのデータ長を示すことを意味する。
【００６５】
続くＧＥＴ  ＲＥＳＰＯＮＳＥコマンド制御シーケンス４００２では、ヘッダ４０２のＰ３パラメータに上記のＳＷ２に与えられたデータ長を指定することで、ファイル属性データがＩＮデータ４４２に与えられ、携帯電話２に送信される。また、ステータス・バイト４５２にはＳＷ１＝０ｘ９０、ＳＷ２＝０ｘ００が与えられる。この値は、同シーケンスの正常終了を示すものである。
【００６６】
以降、当該ファイル・データに対するリード、ライトの処理などが行なわれる。その際、ＲＥＡＤ  ＢＩＮＡＲＹコマンド、ＵＰＤＡＴＥ  ＢＩＮＡＲＹコマンドなどが使用される。
【００６７】
ＳＴＡＴＵＳコマンド制御シーケンス４００３は、ＩＮコマンド制御シーケンスであり、受信されるＩＮデータ４４３は、事前のＧＥＴ  ＲＥＳＰＯＮＳＥコマンド・シーケンス４００２によって受信されるＩＮデータ４４２と同一である。ステータス・バイト４５３は、通常はシーケンスの正常終了を示すＳＷ１＝０ｘ９０、ＳＷ２＝０ｘ００であるが、ＳＴＫ機能（前述）によって提供されるアプリケーション要求がある場合には、ＳＷ１＝０ｘ９１となる。ＳＷ２にはＳＴＫ機能が受信を要求するデータ長が指定される。
【００６８】
記憶媒体１からステータス・バイト４５３を受信した携帯電話２は、以降、ＦＥＴＣＨコマンドを発行し、ＳＴＫ機能（前述）が要求するデータを受信するとともに、所定のコマンドを通じて、ＳＴＫ機能が要求するアプリケーション処理を実行する。但し、かかるシーケンス自体は本発明の要旨に直接関連するものではないので、本明細書ではこれ以上の詳細については言及しない。
【００６９】
上述したように、携帯電話２から記憶媒体１のＳＩＭ機能部１３に対して、常時アクセスが行なわれることになる。電源投入時や発着信時のように、携帯電話２上でのユーザ操作が伴う場合は勿論、無操作の場合にも、携帯電話２によるＳＴＡＴＵＳコマンドの発行が定期的に行なわれる。このような状況において、当制御装置３から記憶媒体１に対して、無線機能を経由してＳＩＭ機能部１３に対するアクセスが行なわれたときに、ＳＩＭインターフェース４との間でアクセス競合が発生してしまう危険がある。その結果、携帯電話２と記憶媒体１との間で、コマンド、レスポンスの不整合が生じ、異常が発生したものと見なされる。これにより携帯電話２側で異常を知らせる画面が表示されるなど、ユーザが携帯電話２を正しく操作することができないという事態を招来する。
【００７０】
そこで、本実施形態では、無線インターフェース５を経由したＳＩＭ機能部１３へのアクセスと、ＳＩＭインターフェース４を経由したＳＩＭ機能部１３へのアクセスとの競合を、競合制御部１０が回避するように構成されている。
【００７１】
競合制御部１０は、例えば、以下に示す第１乃至第３の制御方式のいずれかを用いることによって、ＳＩＭ機能部１３へのアクセス競合を回避することができる。
【００７２】
第１の制御方式は、携帯電話２からクロック信号が入力されている間、無線通信によるアクセスを禁止する方法である。記憶媒体１は、アクセス禁止の間に制御装置３からコマンドを受信した際に、ビジーである旨を制御装置３にレスポンス通知する。これによって、携帯電話アクセス中の無線通信アクセスを防ぐことが可能になる。
【００７３】
また、第２の制御方式は、無線通信によりＳＩＭ機能部１３へのアクセスが行なわれている際に、携帯電話２からＳＴＡＴＵＳコマンドが発行されたときに、競合制御部１０が、ＳＩＭ機能部１３にアクセスすることなく、事前に記憶したＳＴＡＴＵＳコマンドの応答データを携帯電話２側に送出する方式である。これによって、携帯電話２側で操作が発生しない状況下でＳＴＡＴＵＳコマンドが発行されたときに、無線通信側のアクセスを中断せずに済むという効果がある。
【００７４】
また、第３の制御方式は、無線通信により外部の制御装置３からＳＩＭ機能部１３へのアクセスが行なわれている間に、携帯電話２からＳＴＡＴＵＳコマンドでないコマンド・アクセスが行なわれた場合に適用される方式である。まず、ヘッダ４０の受信に対し、競合制御部１０は、ヘッダ４０を保持するとともに携帯電話２側にＮＵＬＬシーケンス・バイトを定期的に送信し、コマンド制御シーケンスの続行させる（若しくは、当該シーケンスの終了を待機させる）。なお、ＩＣカードが携帯電話に対してタイムアウトが生じない間隔でＮＵＬＬシーケンス・バイトを繰り返し送信して、携帯電話側を待機させるシーケンスはＩＥＣ７８１６に規定されている。競合制御部１０は、ＮＵＬＬシーケンス・バイトの送信と並行して、非接触無線部１１を経由して制御装置３側に携帯電話２側からのアクセスの旨をレスポンス・フレーム通知して、無線通信アクセスの即座終了を促し、さらに、制御装置３との無線通信アクセスが終了した後、保持したヘッダ４０をＳＩＭ機能部１３に送信し、以降はコマンド制御シーケンスを携帯電話２側と中継する方式である。この制御方式によれば、制御装置３との無線通信アクセス中に、携帯電話２側からＳＴＡＴＵＳコマンド以外のコマンドを受信した場合には、制御装置３に対して無線通信アクセスを終了させることができるとともに、携帯電話２からのコマンド・シーケンスを続行することができる。この結果、所定のコマンドに対して正しく応答が得られないことに対する携帯電話２側の異常を防ぐことができるという効果がある。
【００７５】
以下では、記憶媒体１内の競合制御部１０の動作について説明した後、上述した第１乃至第３の制御方式についてそれぞれ説明する。
【００７６】
図５には、図１中の競合制御部１０の内部構成を示している。図示の競合制御部１０は、ＳＩＭインターフェース制御部１０１と、無線インターフェース制御部１０２と、状態管理部１０３と、情報記憶部１０４と、インターフェース・アクセス制御部１０５を備えている。
【００７７】
ＳＩＭインターフェース制御部１０１は、ＳＩＭインターフェース４のＩＳＯ／ＩＥＣ７８１６に基づく電気的及び論理的インターフェース制御を行ない、インターフェース・アクセス制御部１０５との間のインターフェース１１０により、図２に示したデータ単位に対応したコマンド／レスポンス・データの送受信を行なう。
【００７８】
ＳＩＭインターフェース制御部１０１からインターフェース・アクセス制御部１０５方向には、ヘッダ１１０２、ＯＵＴデータ１１０４が送信トリガ１１０１によって通知され、逆方向には、シーケンス・バイト（ＡＣＫ）１１０３、ＩＮデータ１１０５、ステータス・バイト１１０６が受信トリガ１１０７によって通知される。
【００７９】
さらに、ＳＩＭインターフェース制御部１０１は、ＤＥＶ＿ＣＬＫの送出及び停止、並びに、携帯電話２からのコマンド受信と、携帯電話２へのレスポンス送信を検知し、状態遷移トリガ１１１によって状態管理部１０３に通知する。
【００８０】
無線インターフェース制御部１０２は、非接触無線部間インターフェース７のデータ制御を行なう。インターフェース・アクセス制御部１０５との間のインターフェース１１２は、インターフェース１１０と同じ構成を持つ。さらに、無線インターフェース制御部１０２は、非接触無線部１１からのコマンド・フレーム・データ受信並びにレスポンス・フレーム送信を検知し、状態遷移トリガ１１３によって状態管理部１０３に通知する。
【００８１】
状態管理部１０３は、上述した態遷移トリガ１１１、１１３、並びにインターフェース・アクセス制御部１０５からの状態遷移トリガ１１４に応じた状態遷移を管理するステートマシンであり、その状態は、インターフェース・アクセス制御部１０５に対して状態通知１１５によって通知される。
【００８２】
情報記憶部１０４は、第２の制御方式において携帯電話２側ファイルＩＤとファイル属性情報、並びにステータス・バイトを記憶し、第３の制御方式においてヘッダ情報を記憶し、携帯電話２によるアクセスから無線アクセスに再移行する際（後述）において無線側ファイルＩＤを記憶する。
【００８３】
インターフェース・アクセス制御部１０５は、ＳＩＭインターフェース制御部１０１、若しくは無線インターフェース制御部１０２からの送信トリガ１１０１、１１２１に対応して、ＳＩＭインターフェース・コントローラ３０１に対し、ＩＳＯ／ＩＥＣ７８１６に基づく電気的及び論理的インターフェース制御、並びにデータ制御を行ない、レスポンス・データを所定の制御部に応答する。このとき、このとき状態管理部１０３から通知される状態に対応して、後に詳解する第１乃至第３の制御方式の実制御を行なう。
【００８４】
図６には、図５に示した競合制御部１０と、ＳＩＭ端子部３００、ＳＩＭインターフェース・コントローラ３０１、及び非接触無線部１１との各インターフェース４、６、７の詳細構造を示している。
【００８５】
ＳＩＭインターフェース４は、ＩＳＯ／ＩＥＣ７８１６に規定される電気信号であり、携帯電話２からクロック信号（ＤＥＶ＿ＣＬＫ）４１、リセット信号（ＤＥＶ＿ＲＳＴ）４２が競合制御部１０に入力され、入出力信号（ＤＥＶ＿ＩＯ）４３によって半二重のシリアル・データ入出力を行なう。
【００８６】
ＳＩＭインターフェース・コントローラ間インターフェース６は、ＳＩＭインターフェース４と同様の電気信号によって構成され、ＳＩＭインターフェース・コントローラ３０１に対して、クロック信号（ＳＩＭ＿ＣＬＫ）６１、リセット信号（ＳＩＭ＿ＲＳＴ）６２が出力されるとともに、入出力信号（ＳＩＭ＿ＩＯ）６３によって、半二重のシリアル・データ入出力を行なう。
【００８７】
図７には、携帯電話２から記憶媒体１に対し、Ｔ０プロトコル・アクセスが行なわれた場合の競合制御部１０の動作シーケンスを示している。
【００８８】
競合制御部１０は、図２に記載されたヘッダ４０、シーケンス・バイト（ＡＣＫ）４１、データ４２（ＯＵＴデータ４３、ＩＮデータ４４）、ステータス・バイト４５のデータ単位で、ＤＥＶ＿ＩＯ信号４３とＳＩＭ＿ＩＯ信号６３との間でシリアル・データを受け渡すスルー制御を行なうことで、ＳＩＭインターフェース４及びＳＩＭインターフェース・コントローラ間インターフェース６において、図３に示したコマンド制御シーケンス３０と同一となる携帯側コマンド制御シーケンス６０を実行する。
【００８９】
携帯側ＯＵＴコマンド制御シーケンス６１では、競合制御部１０は、まずＤＥＶ＿ＩＯ信号４３から５バイトのヘッダ４０の受信を待ち、これを受信完了した後に、ＳＩＭ＿ＩＯ信号６３に対してヘッダ４０を送出する。
【００９０】
次いで、競合制御部１０は、ＳＩＭ＿ＩＯ信号６３から１バイトのＡＣＫ４１の受信を待ち、これを受信完了した後に、ＤＥＶ＿ＩＯ信号４３に対してＡＣＫ４１を送出する。
【００９１】
次いで、競合制御部１０は、ＤＥＶ＿ＩＯ信号４３からヘッダ４０のＰ３パラメータに記されたバイト数のＯＵＴデータ４３の受信を待ち、これを受信完了した後に、ＳＩＭ＿ＩＯ信号６３に対してＯＵＴデータ４３を送出する。
【００９２】
そして、競合制御部１０は、ＳＩＭ＿ＩＯ信号６３からステータス・バイト４５の受信を待ち、これを受信完了した後にＤＥＶ＿ＩＯ信号４３に対してステータス・バイト４５を送出して、携帯側ＯＵＴコマンド制御シーケンス６１を終了する。
【００９３】
一方、携帯側ＩＮコマンド制御シーケンス６２では、競合制御部１０は、上述した携帯側ＯＵＴコマンド制御シーケンス６１と同様に、ヘッダ４０並びにＡＣＫ４１のスルー制御を行なった後、ＳＩＭ＿ＩＯ信号６３からＩＮデータ４４の受信を待機する。但し、競合制御部１０は、ＩＮデータ４４を受信完了した後に、ＤＥＶ＿ＩＯ信号５３に対してＩＮデータ４４を送出する点が、携帯側ＯＵＴコマンド制御シーケンス６１とは異なる。
【００９４】
なお、競合制御部１０は、ＡＣＫ４１のスルー制御を行なった後に、ＯＵＴデータ４３をＤＥＶ＿ＩＯ信号４３から受信するか、又はＩＮデータ４４をＳＩＭ＿ＩＯ信号６３から受信するが、いずれを受信するかはヘッダ４０受信時に得られるＩＮＳパラメータによって決定される。
【００９５】
図８には、無線フレーム上におけるコマンド並びにレスポンス・フレームの構成を示している。無線フレーム１５のペイロード領域１５３にヘッダ４０、ＯＵＴデータ４３、ＩＮデータ４４、ステータス・バイト４５を与えることで、ＩＥＣ７８１６のＴ０プロトコル（前述）に従って行なわれるＩＣカードのコマンド・データの送受信を無線上でも実現している。
【００９６】
コマンド・フレーム・データ７０は、ＯＵＴコマンド・フレーム・データ７０１とＩＮコマンド・フレーム・データに分類され、レスポンス・フレーム・デー７１は、ＯＵＴレスポンス・フレーム・データ７１１とＩＮレスポンス・フレーム・データ７１２に分類される。図３に示したＯＵＴコマンド制御シーケンス３１に対応して、ＯＵＴコマンド・フレーム・データ７０１及び同レスポンス・フレーム・データ７１１が構成されるとともに、ＩＮコマンド制御シーケンス３２に対応して、ＩＮコマンド・フレーム・データ７０２及び同レスポンス・フレーム・データ７１２が構成される。
【００９７】
また、図６中の非接触無線部間インターフェース７は、無線通信を介した制御装置からのコマンド並びにレスポンスの送受信に対応して、競合制御部１０との間でコマンド・データの送受信を行なうインターフェースである。非接触無線部間インターフェース７では、非接触無線部１１からコマンド・フレーム・データ７１が出力され、競合制御部１０からレスポンス・フレーム・データ７２が出力される。
【００９８】
図９には、制御装置３から記憶媒体１に対して無線フレームによるコマンド・アクセスが行なわれたときの競合制御部１０の動作シーケンスを示している。
【００９９】
制御装置３と無線接続したときの、図８に記載されたＯＵＴコマンド・フレーム・データ７０１の受信に対応した無線側ＯＵＴコマンド制御シーケンス８１と、ＩＮコマンド・フレーム・データ７０２の受信に対応した無線側ＩＮコマンド制御シーケンス８２を定義する。また、無線側ＯＵＴコマンド制御シーケンス８１と無線側ＩＮコマンド制御シーケンス８２の双方を合わせて、無線側コマンド制御シーケンス８０と定義する。
【０１００】
無線側ＯＵＴコマンド制御シーケンス８１では、非接触無線部１１は、制御装置３からＯＵＴコマンド・フレームを受信すると、当該フレームに含まれるＯＵＴコマンド・フレーム・データ７０１を競合制御部１０に受け渡すスルー制御を行なう。
【０１０１】
競合制御部１０は、ＩＳＯ／ＩＥＣ７８１６の規定に基づいて、ＳＩＭ機能部１３内のＳＩＭインターフェース・コントローラ３０１に対して、図３に示したＯＵＴコマンド制御シーケンス３１を実行して、ＳＩＭ機能部１３からステータス・バイト４５を取得する。そして、競合制御部１０は、ステータス・バイト４５を基にＯＵＴレスポンス・フレーム・データ７１１を組み立てて、これを非接触無線部１１に出力する。非接触無線部１１はＯＵＴレスポンス・フレームを制御装置３宛てに送信する。
【０１０２】
一方、無線側ＩＮコマンド制御シーケンス８２では、非接触無線部１１は、制御装置３からＩＮコマンド・フレームを受信すると、当該フレームに含まれるINコマンド・フレーム・データ７０２を競合制御部１０に受け渡すスルー制御を行なう。
【０１０３】
競合制御部１０は、ＩＳＯ／ＩＥＣ７８１６の規定に基づいて、ＳＩＭ機能部１３に対して、図３に示したＩＮコマンド制御シーケンス３２を実行し、ＩＮデータ４４とステータス・バイト４５を取得する。そして、競合制御部１０はＩＮデータ４４とステータス・バイト４５を基にＩＮレスポンス・フレーム・データ７１２を組み立てて、これを非接触無線部１１に出力する。非接触無線部１１はＩＮレスポンス・フレームを制御装置３宛てに送信する。
【０１０４】
これまで説明してきたように、競合制御部１０は、携帯電話２からＳＩＭ機能部１３に対するアクセスに対しては、ＳＩＭインターフェース４と、ＳＩＭインターフェース・コントローラ間インターフェース６との間で、図７に示した携帯側コマンド制御シーケンス６０を実行して、コマンド制御シーケンス３０を中継制御する。一方、制御装置３からＳＩＭ機能部１３に対するアクセスに対しては、無線フレームの送受信に対応して、非接触無線部間インターフェース７と、ＳＩＭインターフェース・コントローラ間インターフェース６との間で、図９に示した無線コマンド制御シーケンス８０を実行して、コマンド制御シーケンス３０を中継制御する。
【０１０５】
ここで、携帯電話２と制御装置３の各々からＳＩＭ機能部１３へのアクセスでは、ＳＩＭインターフェース・コントローラ間インターフェース６が共有されることから、同時アクセスが行なわれる可能性があり、その際の競合制御が必須となる。携帯電話２によるＳＴＡＴＵＳコマンドの発行が定期的に行なわれることからも（前述）、アクセスの競合は頻繁に生じると考えられる。
【０１０６】
本実施形態では、競合制御部１０は、上述した第１乃至第３の制御方式によりアクセス競合を制御するようになっている。以下では、かかるアクセスの競合を回避するための第１乃至第３の制御方式について、それぞれ詳解する。
【０１０７】
第１の制御方式：
第１の制御方式は、携帯電話２からクロック信号（ＤＥＶ＿ＣＬＫ）が入力されている間は、制御装置３からの無線通信によるアクセスを禁止し、携帯電話２経由でのＳＩＭ機能部１３へのアクセスのみを許可する方式である。第１の制御方式について、図１０に示したシーケンス図を参照しながら説明する。
【０１０８】
競合制御部１０は、初期状態（９００）において、携帯電話２側から送出されるＤＥＶ＿ＣＬＫ９０１を検知すると、携帯側占有状態に遷移する（９０２）。
【０１０９】
この携帯側占有状態では、携帯電話２側がＳＩＭ機能部１３を占有し、図７に示した携帯側コマンド制御シーケンス６０が実行可能である。
【０１１０】
また、携帯側占有状態では、制御装置３側からＳＩＭ機能部１３へのアクセスが禁止されている。非接触無線部１１がコマンド・フレームを受信し（９０３）、コマンド・フレーム・データ７０が競合制御部１０に到達した際、競合制御部１０は、ＳＩＭ機能部１３にはアクセスせず、携帯電話２側がＳＩＭ機能部１３を占有している旨をステータス・バイト４５に設定し、レスポンス・フレーム・データ７１を構築する（９０４）。そして、非接触無線部１１を介して制御装置３にレスポンス・フレームを送信する（９０５）。このようにして、携帯電話２側がＳＩＭ機能部１３を占有している状態で、無線側からコマンドを受信した際のＳＩＭ機能部１３へのアクセス競合を回避する。
【０１１１】
なお、携帯電話２側からＤＥＶ＿ＣＬＫの送出が停止された際には（９０６）、再び初期状態に遷移する（９０７）。
【０１１２】
第２の制御方式：
第２の制御方式は、無線通信によるＳＩＭ機能部１３へのアクセスが行なわれている際に、携帯電話２からＳＴＡＴＵＳコマンドが発行されたときに、競合制御部１０が、ＳＩＭ機能部１３にアクセスすることなく、事前に記憶したＳＴＡＴＵＳコマンドの応答データを携帯電話２側に送出する方式である。
【０１１３】
第２の制御方式において、競合制御部１０がＳＴＡＴＵＳコマンドの応答データを事前に記憶する処理手順について、図１１に示したシーケンス図を参照しながら説明する。
【０１１４】
競合制御部１０は、携帯電話２側から送出されるＤＥＶ＿ＣＬＫを検知すると、携帯側占有状態に遷移し、図７に示した携帯側コマンド制御シーケンス６０が実行可能となる。（同上）。
【０１１５】
携帯側コマンド制御シーケンス６０では、競合制御部１０は、図２に記載されたヘッダ４０、シーケンス・バイト（ＡＣＫ）４１、データ４２（ＯＵＴデータ４３、ＩＮデータ４４）、ステータス・バイト４５のデータ単位で、ＤＥＶ＿ＩＯ信号４３とＳＩＭ＿ＩＯ信号６３との間でシリアル・データを受け渡すスルー制御を行なう。
【０１１６】
ＳＩＭ端子部３０を介して携帯電話２から受け取ったコマンドがＳＥＬＥＣＴコマンドである場合には、競合制御部１０は、当該コマンド制御シーケンスにおいて、ＳＩＭ機能部１３から受け取ったＯＵＴデータ４３１を携帯側ファイルＩＤとして記憶する（１０００）。
【０１１７】
また、競合制御部１０は、ＳＥＬＥＣＴコマンドの次に実行されるＧＥＴ  ＲＥＳＰＯＮＳＥコマンドの制御シーケンスにおいて、ＳＩＭ機能部１３から受け取ったＩＮデータ４４２、並びにステータス・バイト４５２を記憶する（１００１）。
【０１１８】
なお、携帯電話２側からＤＥＶ＿ＣＬＫの送出が停止された際には再び初期状態に遷移する（同上）。
【０１１９】
続いて、第２の制御方式において、無線アクセス中に競合制御部１０が事前に記憶しておいたＳＴＡＴＵＳコマンドの応答データを携帯電話２側に送出する処理手順について、図１２に示したシーケンス図を参照しながら説明する。
【０１２０】
競合制御部１０は、初期状態において、非接触無線部１１からコマンド・フレーム７０を受信すると、無線側占有状態に遷移する。この無線側占有状態では、制御装置３側からの無線アクセスがＳＩＭ機能部１３を占有し、携帯電話２側からのアクセスが禁止される。
【０１２１】
競合制御部１０は、無線側占有状態において、ＳＩＭ端子部３００から送出されるＤＥＶ_ＣＬＫを検知すると、無線アクセス中断状態に遷移する。さらに、ＳＴＡＴＵＳコマンド・ヘッダ４０３を受信すると、ＳＩＭ機能部１３へのアクセスは行なわずに、ＳＩＭ端子部３００経由で携帯電話２にＡＣＫ４１３を送出する。
【０１２２】
続いて、競合制御部１０は、図１１に示した処理シーケンスにおいて事前に記憶しておいたファイル属性情報をＩＮデータ４３３としてＳＩＭ端子部３００経由で携帯電話２に送出し、さらに、同様に事前に記憶しておいたステータス・バイト４５３をＳＩＭ端子部３００経由で携帯電話２に送出する。
【０１２３】
その後、競合制御部１０は、無線側占有状態に復帰して、コマンド・フレーム・データ７０に対するレスポンス・フレーム・データ７１を非接触無線部１１経由で制御装置３に送出する。
【０１２４】
なお、競合制御部１０は、非接触無線部１１にレスポンス・フレーム・データ７１を送信した後も、無線側占有状態を維持する。
【０１２５】
以上のように、ＳＩＭ機能部１３に無線アクセス中に、携帯電話２側からＳＴＡＴＵＳコマンドを受信した場合には、競合制御部１０から所定のレスポンスを携帯側に応答することで、ＳＩＭ機能部１３へのアクセス競合を防ぐとともに、制御装置３側からの無線アクセスを継続させることができる。
【０１２６】
第３の制御方式：
第３の制御方式は、無線通信により外部の制御装置３からＳＩＭ機能部１３へのアクセスが行なわれている間に、携帯電話２からＳＴＡＴＵＳコマンドでないコマンド・アクセスが行なわれた場合に適用される方式である。第３の制御方式について、図１３に示したシーケンス図を参照しながら説明する。
【０１２７】
無線側占有状態では、制御装置３側からの無線アクセスがＳＩＭ機能部１３を占有し、携帯電話２側からのアクセスが禁止されている。また、無線側占有状態でＳＩＭ端子部３００から送出されるＤＥＶ_ＣＬＫを検知すると、競合制御部１０は、無線アクセス中断状態（１１００）に遷移する。
【０１２８】
競合制御部１０は、この無線アクセス中断状態（１１００）において、ＳＩＭ端子部３００経由で携帯電話２側から、ＳＴＡＴＵＳコマンド以外のコマンドを受信したとき、当該コマンドのヘッダ４０を記憶する（１１０１）。また、競合制御部１０は、ＳＩＭ端子部３００経由で携帯電話２に対して、ＮＵＬＬシーケンス・バイトを送信し（１１０２）、携帯電話２側のＡＣＫ受信タイムアウト時間を延長させる（１１０３）。
【０１２９】
続いて、競合制御部１０は、図１１に示した処理シーケンスの参照番号１０００にて記憶したファイルＩＤを用いて、ＳＩＭ機能部１３経由で携帯電話２に対し、ＳＥＬＥＣＴ、及びＧＥＴＲＥＳＰＯＮＳＥコマンド・シーケンスを実行して、無線アクセス前に携帯電話２側で指定されていたファイルに指定し直す（１１０４）。
【０１３０】
続いて、競合制御部１０は、参照番号１１０１にて記憶したヘッダ４０を、ＳＩＭ機能部１３軽油で携帯電話２に送信するとともに、携帯側占有状態に遷移する（１１０５）。以降、競合制御部１０は、ＳＩＭ機能部１３から受信したＡＣＫ４１を、ＳＩＭ端子部３００経由で携帯電話２に転送し、携帯側コマンド制御シーケンス６０を実行する。
【０１３１】
以上のように、競合制御部１０は、制御装置３による無線アクセス中に携帯電話２側からＳＴＡＴＵＳコマンド以外のコマンドを受信したときには、制御装置３との無線アクセスを取りやめ、携帯電話２からＳＩＭ機能部１３へのアクセスに移行することができる。この結果、携帯電話２からのコマンド・シーケンスを続行することができ、所定のコマンドに対して正しく応答が得られないことに対する携帯電話２側の以上を防ぐことができる。
【０１３２】
競合制御部１０は、上述した第１乃至第３の制御方式によりアクセス競合を制御する際に、携帯電話２がＳＩＭ機能部１３へのアクセスを占有する「携帯側占有状態」、制御装置３がＳＩＭ機能部１３へのアクセスを占有する「無線側占有状態」、制御装置３がＳＩＭ機能部１３へのアクセスを中断する「無線アクセス中断状態」という各状態の間を適宜遷移する。競合制御部１０の状態遷移は、状態管理部１０３（前述）内のステートマシンによって管理される。図１４には、競合制御部１０の状態遷移図を示している。また、図１５には、各状態で競合制御部１０が行なう処理についてまとめておく。
【０１３３】
なお、図１３に示した処理シーケンスでは、無線側占有状態から無線アクセス中断状態に遷移して携帯電話２側からのアクセスに切り換える際に、参照番号１１０４で示すように、ＳＩＭ機能部１３に対してファイルＩＤを再設定することに関しては既に説明した。一方、制御装置３による無線アクセスから携帯電話２によるアクセスに移行した後、さらに無線アクセスに移行する際には、制御装置３側のファイルＩＤをセレクトし直す必要がある。以下では、ファイルＩＤを制御装置３側に再設定するための処理手順について説明しておく。
【０１３４】
図１６には、競合制御部１０が、無線側ファイルＩＤを記憶するシーケンスを示している。初期状態、若しくは無線側占有状態において、無線側ＳＥＬＥＣＴコマンド制御シーケンス８１１が実行される場合に、ＳＥＬＥＣＴコマンド・フレーム・データ７０１１に付加されるＯＵＴデータ４３を無線側ファイルＩＤとして記憶する。
【０１３５】
図１７には、競合制御部１０が、制御装置３による無線アクセスから携帯電話２によるアクセスに移行した後、携帯電話２からのＤＥＶ＿ＣＬＫ停止により初期状態に復帰して以降に、制御装置３による無線アクセスが行なわれる際のシーケンスを示している。
【０１３６】
競合制御部１０は、初期状態においてコマンド・フレーム・データ７０を受信した際に、図１６に示した処理シーケンス中で記憶した無線側ファイルＩＤを使用して、ＳＥＬＥＣＴ、ＧＥＴＲＥＳＰＯＮＳＥコマンドをＳＩＭ機能部１３に対して実行する。そして、競合制御部１０は、無線側占有状態に遷移し、以降は無線側コマンド制御シーケンスが継続される。
【産業上の利用可能性】
【０１３７】
以上、特定の実施形態を参照しながら、本発明について詳解してきた。しかしながら、本発明の要旨を逸脱しない範囲で当業者が該実施形態の修正や代用を成し得ることは自明である。
【０１３８】
本明細書では、携帯電話の加入者情報を記憶する記憶媒体として、ＧＳＭ（１１．１１）及びＩＳＯ／ＩＥＣ７８１６で規定されるＳＩＭカードに適用した実施形態を中心に説明してきたが、本発明の要旨は必ずしもこれに限定されるものではない。現在、ＳＩＭカードはＧＳＭやＷ−ＣＤＭＡなどの方式の携帯電話で広範に使用されているが、勿論、ＳＩＭカードとの互換性の有無に関わらず、携帯電話の加入者情報を記憶するさまざまなタイプの記憶媒体にも同様に本発明を適用することができる。
【０１３９】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【０１４０】
【図１Ａ】図１Ａは、本発明の一実施形態に係る記憶媒体の構成を模式的に示した図である。
【図１Ｂ】図１Ｂは、ＳＩＭ端子部３００の構造を示した図である。
【図２】図２は、ＳＩＭインターフェース４での通信に利用されるＴ０プロトコルにおけるコマンド・データのフォーマットを示した図である。
【図３】図３は、Ｔ０プロトコルによるコマンド制御シーケンスを示した図である。
【図４】図４は、ＳＴＡＴＵＳコマンドに関連するコマンド制御シーケンスの一例を示した図である。
【図５】図５は、図１中の競合制御部１０の内部構成を示した図である。
【図６】図６は、図５に示した競合制御部１０と、ＳＩＭ端子部３００、ＳＩＭインターフェース・コントローラ３０１、及び非接触無線部１１との各インターフェース４、６、７の詳細構造を示した図である。
【図７】図７は、携帯電話２から記憶媒体１に対し、Ｔ０プロトコル・アクセスが行なわれた場合の競合制御部１０の動作シーケンスを示した図である。
【図８】図８は、無線フレーム上におけるコマンド並びにレスポンス・フレームの構成を示した図である。
【図９】図９は、制御装置３から記憶媒体１に対して無線フレームによるコマンド・アクセスが行なわれたときの競合制御部１０の動作シーケンスを示した図である。
【図１０】図１０は、競合制御部１０が第１の制御方式により携帯電話２及び制御装置３からＳＩＭ機能部１３へのアクセス競合を回避するための動作シーケンスを示した図である。
【図１１】図１１は、競合制御部１０が第２の制御方式により携帯電話２及び制御装置３からＳＩＭ機能部１３へのアクセス競合を回避するための動作シーケンスを示した図である。
【図１２】図１２は、競合制御部１０が第２の制御方式により携帯電話２及び制御装置３からＳＩＭ機能部１３へのアクセス競合を回避するための動作シーケンスを示した図である。
【図１３】図１３は、競合制御部１０が第３の制御方式により携帯電話２及び制御装置３からＳＩＭ機能部１３へのアクセス競合を回避するための動作シーケンスを示した図である。
【図１４】図１４は、競合制御部１０の状態遷移図である。
【図１５】図１５は、図１４に示した状態遷移図の各状態で競合制御部１０が行なう処理をまとめた表である。
【図１６】図１６は、競合制御部１０が、無線側ファイルＩＤを記憶するシーケンスを示した図である。
【図１７】図１７は、制御装置３による無線アクセスから携帯電話２によるアクセスに移行した後、携帯電話２からのＤＥＶ＿ＣＬＫ停止により初期状態に復帰して以降に、制御装置３による無線アクセスが行なわれる際のシーケンスを示した図である。
【図１８Ａ】図１８Ａは、ＳＩＭカードの構成を示した図である。
【図１８Ｂ】図１８Ｂは、非接触ＩＣカードの構成を示した図である。
【図１９】図１９は、携帯電話２にＳＩＭカード１を適用した様子を示した図である。
【符号の説明】
【０１４１】
１…記憶媒体
２…携帯電話
３…制御装置
４…ＳＩＭインターフェース
５…無線インターフェース
６…ＳＩＭインターフェース・コントローラ間インターフェース
７…非接触無線部間インターフェース
１０…競合制御部
１１…非接触無線部
１２…アンテナ
１３…ＳＩＭ機能部
１０１…ＳＩＭインターフェース制御部
１０２…無線インターフェース制御部
１０３…状態管理部
１０４…情報記憶部
１０５…情報記憶部
３００…ＳＩＭ端子部
３０１…ＳＩＭインターフェース・コントローラ
３０２…ＣＰＵ
３０３…システム・バス
３０４…ＲＯＭ
３０５…ＲＡＭ
３０６…暗号ブロック
３０７…ＥＥＰＲＯＭ
【図１Ａ】
2009181332.tif 000003
【図２】
2009181332.tif 000004
【図３】
2009181332.tif 000005
【図４】
2009181332.tif 000006
【図５】
2009181332.tif 000007
【図６】
2009181332.tif 000008
【図７】
2009181332.tif 000009
【図８】
2009181332.tif 000010
【図９】
2009181332.tif 000011
【図１０】
2009181332.tif 000012
【図１１】
2009181332.tif 000013
【図１２】
2009181332.tif 000014
【図１３】
2009181332.tif 000015
【図１４】
2009181332.tif 000016
【図１５】
2009181332.tif 000017
【図１６】
2009181332.tif 000018
【図１７】
2009181332.tif 000019
【図１Ｂ】
2009181332.tif 000020
【図１８Ａ】
2009181332.tif 000021
【図１８Ｂ】
2009181332.tif 000022
【図１９】
2009181332.tif 000023